(57)【要約】【課題】小型ムーブメントに対応したデザイン性の良い外装を提供するために、ワンピース構造を可能とする、ガラス縁の雄ネジと胴の雌ネジとをネジ止め固定する形式の時計の側構造を改良する。【解決手段】ムーブメント５の地板６最外形状部６ａを胴１に最大限近接させるために、ガラス縁２の雄ネジ２ａの端面が直接地板６面に当てられるようにするために、文字板４を雄ネジ２ａの内部に設けた雄ネジ凹部２ｃに収まるように構成した。更に外装の小型化を図る場合は、地板最外形状６ａが胴１の雌ネジ１ｂ部と平面的に干渉する寸法設定が可能なように、干渉する雌ネジ部１ｂをカットする。【選択図】      図１
2004198125.tif 000002
【特許請求の範囲】
【請求項１】
ガラスが装着され雄ネジを有するガラス縁、
雌ネジを有する胴、
表示板や時計用基板を有するムーブメントとを有し、
前記雄ネジと前記雌ネジをネジ止め固定してなる時計用側の構造において、
前記文字板の外径を前記地板の最外形状より小さく構成し、
前記ガラス縁の雄ネジと前記胴の雌ネジを係止したときに、該雄ネジの端面が前記地板に当接し、前記ムーブメントを位置決めすることを特徴とする時計用側の構造。
【請求項２】
前記表示板は文字板であって、前記雄ネジと前記雌ネジを係止したときに、前記文字板は前記ガラス縁の雄ネジと同一断面高さ位置にある凹部に収納されることを特徴とする請求項１に記載の時計用側の構造。
【請求項３】
ムーブメントの断面的位置決めが、ガラス縁の端面とその端面に対し地板の反対側に配置される弾性部材により行なわれることを特徴とする請求項１または請求項２に記載の時計用側の構造。
【請求項４】
ガラス縁の雄ネジの付け根部と胴との間に、防水パッキンを配置し、ネジ締めにより防水パッキンへの圧縮力を生ぜしめることを特徴とする請求項１乃至請求項３のいずれかに記載の時計用側の構造。
【請求項５】
前記ムーブメントの地板最外形状部に対応した胴の雌ネジ部分にカット部を有することを特徴とする請求項１乃至請求項４のいずれかに記載の時計用側の構造。
【発明の詳細な説明】
【０００１】
【発明の属する技術分野】
本発明は、ガラス縁の雄ネジを胴の雌ネジにネジ固定する時計の側構造の改良に関するものである。
【０００２】
【従来の技術】
近年、時計も時刻を見ることも重要であるが、よりファッション化された時計を模索する動きも活発化されてきている。その１つとして、時計を非常に小型化して例えば指輪の中に時計を組み込んでしまおうという、ファッション時計も提案されるようになってきた。この場合、指輪の中にムーブメントをどのように保持固定するかが大きな課題となる。
【０００３】
指輪時計の場合、一般の時計のように裏蓋を配置する構成とした場合に、裏蓋を配置する制約だけでなく、開閉出来る事が条件となるため、デザイン対応力を著しく損なうことになる。そこで裏蓋を配置せずにいわゆる一般の時計で言うワンピース構造を取ったとき、ムーブメントを如何に固定するかを鋭意検討した結果、ＫＧと言われる表示を透かし見るガラスを固定したガラス縁を胴部にネジ止め固定する構造を考えついた。このガラス縁を胴部にネジ止め固定する構造については従来よりいろいろ提案されているところである。
【０００４】
次に従来技術による、ガラス縁の雄ネジを胴の雌ネジにネジ固定する時計の側構造について説明する。その１つは、ガラスリングをネジ締めしたときガラスリングの端面で文字板を押さえると同時に、その端面で押圧する介在物を介してムーブメントをも押さえる構成を有する（例えば、特許文献１参照）。この時、ネジの係合部は文字板と断面的に干渉しない構成が記載されている。
【０００５】
他の従来例としては、ガラス縁の雄ネジ端面は断面で見たときムーブメントの外周を通過し胴に配置された雌ネジを有する止めリングとネジ係合する構成を採っている（例えば、特許文献２参照）。この構成では止めリングがムーブメントを押さえる構成は有していない。また他の従来例として、特許文献１と同様、ガラス縁の端面がパッキンや文字板受リング等の介在物を介してムーブメントを押さえる構成を有するものもある（例えば、特許文献３参照）。本従来例が特許文献１と異なるのは、文字板がガラス縁内径に形成された下端凹部に配置されていることである。
【０００６】
【特許文献１】
実開昭４８−３０７５号公報  （第１頁、第２図）
【特許文献２】
特開昭４９−３４３６０号公報  （第２頁右上欄、第６図）
【特許文献３】
実開昭５４−１８１９７３号公報  （第１頁、第２図）
【０００７】
【発明が解決しようとする課題】
しかしながら従来技術の構造では次のような課題がある。即ち、特許文献１の構成では、ムーブメントと胴の間に他の部品が配置される構造であるため、その分は側が大きくなってしまう。特に小さいムーブメントの特質を生かして極限までケースも小さくしたいという場合には、ムーブメント最外形状と側との間に配置される他の部品の分は小さく出来ないという欠点を有している。更にこの構成では、文字板がネジ部の断面位置より下にあるため文字板とガラスの間を離さざるを得ず、小型なのに厚いケースとなってしまうと言う問題が有った。
【０００８】
また、特許文献２の構成では、止めリングがムーブメントを押さえる構成は有さず、ムーブメントの外周を通過して胴にネジ止めされるため別個にムーブメントの高さ方向の保持固定構造が必要となり、ムーブメントの固定構造が複雑になると言う課題を有する。
【０００９】
更に特許文献３では、文字板がガラス縁内径の下端凹部に配置されてネジ部と断面的に高さ位置が合致しているとは言え、ガラス縁の端面が介在物を介してムーブメントを押さえる構成を有しているため、その分は側の大きさが大きくなってしまうと言う課題を有する。
【００１０】
一方、周知の裏蓋構造のケースを使用するにおいては、本発明が対象としているガラス縁と胴をネジ止めする構造が可能なワンピースのケースに対して著しくデザイン対応性を損なってしまうという問題点を持つこととなる。
【００１１】
本発明の目的は、上記課題を解決しようとするもので、ワンピースのケースが可能で小型ムーブメントにも適応する小型ケースを可能とすることで、デザイン対応性の高い時計用側の構造を提供することである。
【００１２】
【課題を解決するための手段】
請求項１による発明は、雄ネジを有するガラス縁と雌ネジを有する胴とをネジ止めするケースにおいて、地板最外形状と胴とが最大限近接することを可能とするためにガラス縁の雄ネジの端面を地板に当接させることによって、ムーブメントの位置決めを可能とすることを特徴とする。
【００１３】
請求項２による発明においては、ケースの薄型化を達成するために雄ネジの内部の凹部に文字板を収納するようにすることを特徴とする。
【００１４】
請求項３による発明は、ケースとムーブメントの平面方向及び断面方向の位置決めを、ガラス縁の端面が当接する地板の面と反対側に配置した弾性部材によって行なうことを特徴とする。
【００１５】
更に、請求項４による発明は、防水パッキンの挿入位置をガラス縁の付け根部と、胴の溝部とのリング形状の空間部にしたことを特徴とする。
【００１６】
また、請求項５による発明は、地板最外形状がネジ部と平面的に干渉する寸法設定を可能とするために、干渉する雌ネジ部にカット形状部を設けたことを特徴とする。
【００１７】
【発明の実施の形態】
以下図面により本発明の第一実施の形態を詳述する。図１は本発明が適用された時計の概略図の要部断面図で図２のＡＡ断面図であり、一部省略してあるが指輪形状をしている。尚、図１は最外形状部６ａ部の周辺の構造を理解しやすいように変則的な断面形状にしてある。図２は図１の平面図、図３は内部の地板だけを図示した平面図、図４はガラス縁を外した状態を示す平面図である。
【００１８】
図において、１はワンピースケースの胴で、指輪形状のリング部１ａ、雌ネジ１ｂ、空洞部１ｃ、溝部１ｄを有する。空洞部１ｃは後述するように本実施の形態ではムーブメントが角形を有しているので、ムーブメントに合わせた角形の空洞と雌ネジ１ｂの円形形状より形成されている。
【００１９】
２は中空形状を成すガラス縁で、前記雌ネジ１ｂと係合する雄ネジ２ａ、雄ネジ２ａの端面２ｂ、雄ネジ２ａの内部に設けられた雄ネジ凹部２ｃ、後述のガラス３が収納固定される凹部２ｄ、ガラス縁２の着脱時に回転させるための治具が引っ掛かるよう外周部に複数個配置された回シ溝部２ｅ（本実施の形態では１６ケ所）を有する。
【００２０】
３はガラスで時計表示部を透過出来る構成を有し、図では接着固定を意図しているが、ガラス縁２との間にパッキンを配置しても良い。４は表示板である円形の文字板で、角形形状を有するムーブメント５に位置決めセットされている。６はムーブメント５の基台となる長方形形状を成す地板で、この長方形の対角線で形成される最外形状部６ａ（図では４ケ所）は雌ネジ１ｂの内径より少し小さく設定されている。
【００２１】
７は弾性部材である中枠で、地板６に対しガラス縁２の雄ネジ端面２ｂが接する面と逆側の空洞部１ｃとムーブメント５との間の隙間に配置され、胴１とムーブメント５の平面方向及び断面方向の位置きめを行なう。８は防水パッキンで、溝部１ｄと雄ネジ２ａの付け根部分とで作られるリング形状の空間部に配置される。９は時刻表示部でムーブメントに係止され、針により時刻を表示する。
【００２２】
次に、組み立て手順を説明する。
まず、胴１の空洞部１ｃに中枠７をセットし、文字板４及び時刻表示部９がセットされたムーブメント５を該中枠７内部に落とし込み、中枠７により胴１との平面方向の位置決めを行なう。次に、溝部１ｄに防水パッキン８をセットして、ガラス３が保持固定されたガラス縁２を、雄ネジ２ａと雌ネジ１ｂにより胴１にネジ止め固定する。
【００２３】
このとき、溝部１ｄの高さより厚い防水パッキン８は圧縮されて防水性を確保すると同時に、端面２ｂが地板６の最外形状部６ａに当接して押し下げるので、地板６の下面に接している弾性部材である中枠７の反力でムーブメント５は断面方向の位置決めが成される。また、円形の文字板４は雄ネジ凹部２ｃの中に収納される。
【００２４】
このように構成することにより、ガラス縁の雄ネジと胴の雌ネジでネジ止め固定する時計でありながら、小型ムーブメントのサイズに適応した、地板最外形状と胴とをぎりぎりまで近接でき、また文字板を雄ネジ凹部に収納することで、小型で薄型の外装ケースの提供が可能となる。
【００２５】
次に本発明の第二実施の形態を詳述する。図５及び図６は本発明を適用した第二実施の形態の時計であり、図１乃至図４と同一要素には同一番号を付して説明を省略する。図５は第二実施形態の時計の概略断面図で、傾斜した空洞部に配したムーブメントを有する形状をしている。図６は図５の時計を左斜め上方向から見た要部平面図である。なお、図５も図１と同様に変則的断面形状にしている。
【００２６】
第一実施の形態と異なる本実施の形態の特徴は、ケースの胴に対して表示部を傾斜させて配置されている点である。図５，図６により構造を詳細に説明する。１０はバンド穴を有する胴であり、胴１０にはムーブメント５が収納される空洞部１０ｃと、ガラス縁２が係合される雌ネジ１０ｂと、防水パッキン８が保持される溝部１０ｄ、及び切り欠き部１０ｅを有している。１１は中枠である。
【００２７】
空洞部１０ｃ及び雌ネジ１０ｂはバンド穴を結ぶ線に対して傾斜させて形成されていて、例えば腕に付けたときに表示部を見易いように配置してある。また本実施の形態においては、雌ネジ１０ｂの内径は地板６の最外形状部６ａより小さく構成されているため、雌ネジ１０ｂには地板６の最外形状部６ａが通過できるように、対応する位置に切り欠き部１０ｅ（図６では地板６の最外形状部６ａに合わせて４ケ所）が設けられている。即ち雌ネジ１０ｂは４ケ所で中断されている形になっている。そして、この切り欠き部１０ｅは弾性部材である中枠１１が配置できる深さに設定されている。
【００２８】
次に組み立て手順を簡単に説明するが、詳細は第１実施の形態と同じである。まず中枠１１を胴１０の切り欠き部１０ｅに合わせて挿入する。その後ムーブメント５を組み込む時に地板６の最外形状部を胴１０の切り欠き部１０ｅに合わせて中枠１１の中に入れる。そして第１実施の形態と同様ガラス縁２の雄ネジ２ａを雌ネジ１０ｂに合わせてネジ締めすることにより地板６の断面的位置決めが成され、時計として完成する。
【００２９】
上記のごとく本発明によれば、胴の雌ネジ部に切り欠き部を設ける構成により、雌ネジが地板最外形状部と干渉可能に小さく設定できるため、第一実施の形態よりさらにケースの小型化が可能になるという効果が得られる。
【００３０】
また、これらの構造はワンピースのケースに使用できるので、ケースにムーブメントを組み込む部分の加工が一方向からだけで済むため、ケースの構成上で非常な制約となる裏蓋の配置構造から解放される。その結果、第一実施の形態で示したような指輪形状や、第二実施の形態で示したような傾斜した文字板を有するケースなど、特殊な形状のケースにも容易に対応でき、ケースの小型化との相乗効果でデザイン対応性を著しく高めることを可能としている。
【００３１】
【発明の効果】
以上の説明で明らかなように、ガラス縁の雄ネジで胴の雌ネジにガラスを固定すると共に、文字板の外径を地板の最外形状より小さく構成し、雄ネジの端面が前記の地板に当接してムーブメントを位置決めする構成のため、地板最外形状と胴をぎりぎりまで近接でき、小型ムーブメントのサイズに適応したデザイン対応が可能で、商品価値を大きく向上させることが出来た。また文字板を雄ネジ凹部に収納することで、小型で薄型の外装ケースの提供が可能となる。
【図面の簡単な説明】
【図１】本発明が適用された第一実施の形態を示す時計の概略図の要部断面図で、図２のＡＡ断面図である。
【図２】本発明が適用された第一実施の形態を示す時計平面図である。
【図３】本発明の第一実施の形態を示す時計平面図で、内部は地板のみを図示してある。
【図４】本発明の第一実施の形態を示す時計平面図で、ガラス縁を外した状態を示している。
【図５】本発明の第二実施形態の時計の概略断面図で、図６のＢＢ断面図を示す。
【図６】図５の時計を左斜め上方向から見た要部平面図である。
【符号の説明】
１  胴
１ｂ  雌ネジ
１ｃ  空洞部
１ｄ  溝部
２  ガラス縁
２ａ  雄ネジ
２ｂ  端面
２ｃ  雄ネジ凹部
３  ガラス
４  文字板
５  ムーブメント
６  地板
６ａ  最外形状部
７  中枠
８  防水パッキン
１０  胴
１０ｂ  雌ネジ
１０ｃ  空洞部
１０ｄ  溝部
１０ｅ  切り欠き部
１１  中枠
【図１】
2004198125.tif 000003
【図２】
2004198125.tif 000004
【図３】
2004198125.tif 000005
【図４】
2004198125.tif 000006
【図５】
2004198125.tif 000007
【図６】
2004198125.tif 000008